【手続補正書】
【提出日】平成21年10月1日(2009.10.1)
【手続補正１】
【補正対象書類名】特許請求の範囲
【補正対象項目名】全文
【補正方法】変更
【補正の内容】
【特許請求の範囲】
【請求項１】
シート搬送方向と交差する幅方向において各々異なる搬送位置でシートを搬送する第１搬送路及び第２搬送路と、
前記第１搬送路及び第２搬送路から搬送されてきたシートを積載する積載手段と、
前記積載手段に搬送されたシートのシート搬送方向に対して交差する幅方向の整合を行う整合手段と、を備え、
前記整合手段は、シートの幅方向側端の外側に配設された待機位置からシートの側端に当接してシートの整合を行う１対の整合部材を有し、
前記第１搬送路及び第２搬送路の一方から搬送されてきたシートからなるシート束を整合する際の前記１対の整合部材の待機位置における前記１対の整合部材間の間隔は、前記第１搬送路及び第２搬送路の両方から搬送されてきたシートからなるシート束を整合する際の待機位置における前記１対の整合部材間の間隔よりも狭い、
ことを特徴とするシート処理装置。
【請求項２】
前記待機位置は、前記積載手段に搬送されるシート毎に異なる、
ことを特徴とする請求項１に記載のシート処理装置。
【請求項３】
前記搬送路を搬送されるシートを前記幅方向に移動させる移動手段が、前記第１搬送路及び第２搬送路のうち少なくとも１つに備えられている、
ことを特徴とする請求項１又は２に記載のシート処理装置。
【請求項４】
前記第１搬送路及び第２搬送路のうち前記移動手段が備えられた搬送路の前記幅方向のシートの位置が、前記移動手段によって変更され、
前記待機位置は、前記移動手段によって変更された前記幅方向のシートの位置に応じてシート毎に異なる、
ことを特徴とする請求項３に記載のシート処理装置。
【請求項５】
前記整合手段が、前記１対の整合部材を独立に移動させる駆動手段を有する、
ことを特徴とする請求項１乃至４のいずれか１項に記載のシート処理装置。
【請求項６】
前記１対の整合部材のうち、前記移動手段がシートを移動させる方向と反対側の整合部材の待機位置を変更可能にする、
ことを特徴とする請求項５に記載のシート処理装置。
【請求項７】
前記１対の整合部材のうち、前記移動手段がシートを移動させる方向と反対側の整合部材の待機位置を、前記移動手段に移動させられたシートの側端に合わせた第１待機位置と、前記移動させられたシートの側端から離れた第２待機位置との間で調節可能にし、第２待機位置で排出されたシートに対する整合位置が第１待機位置と同じである、
ことを特徴とした請求項５に記載のシート処理装置。
【請求項８】
前記移動手段が前記シートを移動させる方向と反対側の整合部材が、前記整合部材と対向する他方の整合部材に前記第１待機位置よりさらに接近移動して、前記第２待機位置で排出されたシートと、第１待機位置で排出されたシートとを同時に整合する、
ことを特徴とした請求項７に記載のシート処理装置。
【請求項９】
前記第１搬送路及び第２搬送路のうち、少なくとも１つの搬送路に、シートを供給するインサート給紙装置が接続されている、
ことを特徴とする請求項１乃至８のいずれか１項に記載のシート処理装置。
【請求項１０】
シートに画像を形成する画像形成部と、
前記画像形成部から前記第１搬送路及び第２搬送路のうち、一方の搬送路によって搬送されるシートに処理を施すシート処理装置と、を備え、
前記シート処理装置が、請求項１乃至９のいずれか１項に記載のシート処理装置である、ことを特徴とする画像形成装置。
【手続補正２】
【補正対象書類名】明細書
【補正対象項目名】００１２
【補正方法】変更
【補正の内容】
【００１２】
本発明のシート処理装置は、シート搬送方向と交差する幅方向において各々異なる搬送位置でシートを搬送する第１搬送路及び第２搬送路と、前記第１搬送路及び第２搬送路から搬送されてきたシートを積載する積載手段と、前記積載手段に搬送されたシートのシート搬送方向に対して交差する幅方向の整合を行う整合手段と、を備え、前記整合手段は、シートの幅方向側端の外側に配設された待機位置からシートの側端に当接してシートの整合を行う１対の整合部材を有し、前記第１搬送路及び第２搬送路の一方から搬送されてきたシートからなるシート束を整合する際の前記１対の整合部材の待機位置における前記１対の整合部材間の間隔は、前記第１搬送路及び第２搬送路の両方から搬送されてきたシートからなるシート束を整合する際の待機位置における前記１対の整合部材間の間隔よりも狭い、ことを特徴としている。
【手続補正３】
【補正対象書類名】明細書
【補正対象項目名】００２３
【補正方法】変更
【補正の内容】
【００２３】
上トレイ１３６に排出されないで、サドル処理されるシート、又は、下トレイ１３７に排出されるシートは、中間バッファーローラ対１１５により搬送された後、上パス切換えフラッパ１１８により搬送路としての束搬送パス１２１に案内される。サドル処理とは中綴じ処理のことである。その後、シートは、下流バッファーローラ対１２２、束搬送ローラ対１２４によって、順次、束搬送パス１２１内を搬送されていく。
【手続補正４】
【補正対象書類名】明細書
【補正対象項目名】００２７
【補正方法】変更
【補正の内容】
【００２７】
ＲＡＭ１５０は制御データを一時的に保持する領域や、制御に伴う演算の作業領域として用いられる。外部インターフェース３７はコンピュータ２０からのインターフェースであり、プリントデータを画像に展開して画像信号制御部３４へ出力する。イメージリーダ制御部３３から画像信号制御部３４へはイメージリーダ５０１で読み取られた画像が出力され、画像信号制御部３４からプリンタ制御部３５へ出力された画像は露光制御部へ入力される。
【手続補正５】
【補正対象書類名】明細書
【補正対象項目名】００８４
【補正方法】変更
【補正の内容】
【００８４】
ＧＰ      インサートパス１４３と搬送パス１０３との合流点
１００      フィニッシャ（シート処理装置）
１０３      搬送パス（搬送路、第１搬送路）
１０４      横レジ検知センサ
１０５      シフトローラ対
１０６      シフトローラ対
１０７      シフトローラ対
１０８      シフトユニット（移動手段）
１２１      束搬送パス（搬送路）
１２８      下排紙ローラ対
１２９      ローレットベルト
１３０      束排紙ローラ対
１３１      パドル
１３２      ステイプラ
１３５      中綴じ処理装置
１３６      上トレイ
１３７      下トレイ
１３８      中間処理トレイ
１３９      後端ストッパ
１４０，１４１      インサート給紙トレイ
１４４      インサートパス（搬送路）
１４５      インサートシート検知センサ
１５０      インサート給紙装置
２０８      シフト搬送モータ
３００      カラー複写機
３００Ａ    カラー複写機の本体
３４０      手前整合システム（整合手段）
３４１      奥整合システム（整合手段）
３４０ａ    手前整合部材（整合部材）
３４１ａ    奥整合部材（整合部材）
３４０ａａ  手前整合部材の整合面
３４１ａａ  奥整合部材の整合面
９１４ａ乃至９１４ｄ      感光ドラム（画像形成部）
Ａ３４０    手前整合部材のシート整合位置
Ｂ３４０    手前タイミングベルト
Ｆ３４０    手前整合部材の待機位置
Ｇ３４０    手前整合部材のインサートシートに対応した待機位置
Ｓ３４０    手前センサ
Ｍ３４０    手前駆動モータ
Ａ３４１    奥整合部材のシート整合位置
Ｂ３４１    奥タイミングベルト
Ｆ３４１    奥整合部材の待機位置（第１待機位置）
Ｇ３４１    奥整合部材のインサートシートに対応した待機位置（第２待機位置）
Ｓ３４１    奥センサ
Ｍ３４１    奥駆動モータ